(57)【要約】【課題】カバーを本体に着脱可能にロックさせるためのロックユニットが多数のロック位置を備えて、物品の収容空間が可変する貯蔵容器を提供する。【解決手段】ロックユニットはロック部材及び回動部材を含む。ロック部材はカバーの一側面に設けられ、回動部材は本体の一側面に回動可能に装着され、多数のロック孔を有する。ロック孔は回動部材に垂直方向に配列される。ロック部材が最下部ロック孔に挿入されると、収容空間は最少容積を有し、ロック部材が最上部ロック孔に挿入されると、収容空間は最大容積を有し、ロック部材が中間ロック孔に挿入されると、収容空間は中間容積を有する。【選択図】図３
2004203486.tif 000002
【特許請求の範囲】
【請求項１】
本体と、カバーと、前記カバーが前記本体に着脱可能にロックされるようにする多数のロックユニットとを含んでなり、前記各ロックユニットは、前記カバーが前記本体の多数のロック位置にロックされるように、多数のロック位置を有するので、前記本体と前記カバーにより形成された収容空間が前記ロック位置によって可変することを特徴とする貯蔵容器。
【請求項２】
前記各ロックユニットは、
前記カバーの一側面に設けられたロック部材と、
前記本体の一側面に回転可能に装着され、多数のロック孔を有する回動部材とを含むので、前記ロック部材が前記ロック孔のいずれか一つに挿入されることにより、前記回動部材が前記ロック部材にロックされることを特徴とする請求項１に記載の貯蔵容器。
【請求項３】
前記貯蔵容器は、
前記回動部材の下端部両側に設けられた二つの下側延長部に形成された第１ヒンジ孔と、
前記本体の所定部位の前記第１ヒンジ孔に対応する第２ヒンジ孔を有し、前記回動部材の二つの下側延長部間に位置するブラケットと、
前記回動部材が前記本体に回動可能にヒンジ結合されるように、前記第１及び第２ヒンジ孔に挿入されるヒンジ軸とをさらに含むことを特徴とする請求項２に記載の貯蔵容器。
【請求項４】
前記ロック孔は前記回動部材に垂直方向に配列されるので、前記カバーと前記本体により形成された収容空間は、前記ロック部材が最下部のヒンジ孔に挿入されると、最少容積を有し、前記ロック部材が最上部ヒンジ孔に挿入されると、最大容積を有し、前記ロック部材が中間部のヒンジ孔に挿入されると、中間の容積を有することを特徴とする請求項２に記載の貯蔵容器。
【請求項５】
前記回動部材は、前記ロック部材が前記ロック孔のいずれか一つに弾力的に結合されるように、弾性材質から作られることを特徴とする請求項２に記載の貯蔵容器。
【請求項６】
前記カバーの上面には第１取っ手が設けられることを特徴とする請求項１に記載の貯蔵容器。
【請求項７】
前記貯蔵容器は、前記回動部材の上端から水平にかつ外方に延長される第２取っ手をさらに含むことを特徴とする請求項２に記載の貯蔵容器。
【請求項８】
前記貯蔵容器は、
前記回動部材の下端部の両側に設けられた二つの延長部に形成されたヒンジ孔と、
前記本体の所定部位に設けられ、前記ヒンジ孔に対応するヒンジ軸が両端に設けられたブラケットとをさらに含むので、前記回動部材が前記本体に回動可能にヒンジ結合されるように、前記ブラケットが前記回動部材の二つの下側延長部間に位置し、前記ヒンジ軸が前記ヒンジ孔に挿入されることを特徴とする請求項２に記載の貯蔵容器。
【請求項９】
貯蔵容器をいろいろの可変サイズを有するようにロックさせる多数のロックユニットを含むが、前記各ロックユニットは多数のロック位置を有するので、貯蔵容器の収容空間が前記ロック位置によって可変することを特徴とする可変貯蔵容器。
【請求項１０】
前記各ロックユニットは、
前記貯蔵容器の一側に設けられたロック部材と、
前記ロック部材に隣接して回動可能に装着され、多数のロック孔を有する回動部材とを含むので、前記ロック部材が前記ロック孔のいずれか一つに挿入されることにより、前記回動部材が前記ロック部材にロックされることを特徴とする請求項９に記載の可変貯蔵容器。
【請求項１１】
前記可変貯蔵容器は、
前記回動部材の下端部の両側に設けられた二つの下側延長部に形成された第１ヒンジ孔と、
前記回動部材の二つの下側延長部間に位置するように、前記可変貯蔵容器の所定部位に形成された第１ヒンジ孔に対応する第２ヒンジ孔を有するブラケットと、
前記回動部材が前記可変貯蔵容器に回動可能にヒンジ結合されるように、前記第１及び第２ヒンジ孔に挿入されるヒンジ軸とをさらに含むことを特徴とする請求項１０に記載の可変貯蔵容器。
【請求項１２】
前記ロック孔は前記回動部材に垂直方向に配列されるので、前記可変貯蔵容器の収容空間は、前記ロック部材が最下部のヒンジ孔に挿入されると、最少容積を有し、前記ロック部材が最上部ヒンジ孔に挿入されると、最大容積を有し、前記ロック部材が中間部のヒンジ孔に挿入されると、中間の容積を有することを特徴とする請求項１０に記載の可変貯蔵容器。
【請求項１３】
前記回動部材は、前記ロック部材が前記ロック孔のいずれか一つに弾力的に結合されるように、弾性材質から作られることを特徴とする請求項１０に記載の可変貯蔵容器。
【請求項１４】
前記可変貯蔵容器は、
前記回動部材の下端部の両側に設けられた二つの下側延長部に形成された第１ヒンジ孔と、
前記可変貯蔵容器の所定部位に形成され、前記回動部材の二つの下側延長部間に位置するように、前記ヒンジ孔に対応するヒンジ軸が両端に設けられたブラケットとをさらに含むので、前記回動部材が前記可変貯蔵容器に回動可能にヒンジ結合されることを特徴とする請求項１０に記載の可変貯蔵容器。
【発明の詳細な説明】
【技術分野】
【０００１】
本発明は調理道具、食品などの物品を貯蔵する貯蔵容器に係り、より詳しくはカバーを本体に着脱可能にロックさせるロックユニットを多段構造に構成して、物品を貯蔵するための収容空間が可変できるようにした貯蔵容器に関するものである。
【背景技術】
【０００２】
一般に、電子レンジのような調理器は、肉類、魚類のような調理物をグリル方式で調理するための焼き串、又はトースト調理のためのトーストキットのような補助調理器具を備えている。かかる補助調理器具は、通常保管及び使用の便利性を高めるため、貯蔵容器に保管される。
【０００３】
補助調理器具、食品などのような物品を貯蔵するための貯蔵容器は、内部に物品を保管するための貯蔵空間を有する本体と、前記本体の上部を覆い、本体の貯蔵空間を外部から密閉させるカバーと、前記カバーを本体にロックさせるか又はロック解除させるロックユニットとを含む。
【０００４】
前記カバーがロックユニットにより本体にロックされた状態では、物品が本体内に安定に保管されるが、前記カバーがロックユニットにより本体から解除されると、使用者が本体内に保管された物品を取り出すか或いは新しい物品を本体内に入れることができる。
【０００５】
しかし、従来のロックユニットは、カバーが本体の一定のロック位置にだけロックされるため、カバーがロックユニットにより本体にロックされると、貯蔵容器は一定の内容積のみを有する。よって、物品のサイズ又は物品の量に応じて貯蔵容器の内容積を変化させることができない欠点がある。すなわち、保管物品のサイズが小さいか或いは物品の量が少ないから、貯蔵容器の内部空間を少なく占める場合にも、貯蔵容器が一定の体積を有するため、貯蔵容器の体積を減らして保管することができない。一方、保管物品のサイズが大きいか或いは物品の量が多い場合には、一つの貯蔵容器に全て保管することができないため、複数の貯蔵容器が要求される欠点がある。
【発明の開示】
【発明が解決しようとする課題】
【０００６】
したがって、本発明は前述した従来技術の問題点を解決するためのもので、本発明の目的はカバーを本体に着脱可能にロックさせるロックユニットが複数のロック位置を有するようにして、物品を保管するための収容空間が可変できるようにする貯蔵容器を提供することにある。
【課題を解決するための手段】
【０００７】
前記のような目的を達成するための本発明は、本体と、カバーと、前記カバーが前記本体に着脱可能にロックされるようにする多数のロックユニットとを含んでなる貯蔵容器を提供する。前記各ロックユニットは、前記カバーが前記本体の多数のロック位置にロックされるように、多数のロック位置を有するので、前記本体と前記カバーにより形成された収容空間が前記ロック位置によって可変する。
【０００８】
前記各ロックユニットは、前記カバーの一側面に設けられたロック部材と、前記本体の一側面に回転可能に装着され、多数のロック孔を有する回動部材とを含むので、前記ロック部材が前記ロック孔のいずれか一つに挿入されることにより、前記回動部材が前記ロック部材にロックされる。
【０００９】
前記貯蔵容器は、前記回動部材の下端部両側に設けられた二つの下側延長部に形成された第１ヒンジ孔と、前記本体の所定部位の前記第１ヒンジ孔に対応する第２ヒンジ孔を有し、前記回動部材の二つの下側延長部間に位置するブラケットと、前記回動部材が前記本体に回動可能にヒンジ結合されるように、前記第１及び第２ヒンジ孔に挿入されるヒンジ軸とをさらに含む。
【００１０】
前記ロック孔は前記回動部材に垂直方向に配列されるので、前記カバーと前記本体により形成された収容空間は、前記ロック部材が最下部のヒンジ孔に挿入されると、最少容積を有し、前記ロック部材が最上部ヒンジ孔に挿入されると、最大容積を有し、前記ロック部材が中間部のヒンジ孔に挿入されると、中間の容積を有する。
【００１１】
前記回動部材は、前記ロック部材が前記ロック孔のいずれか一つに弾力的に結合されるように、弾性材質から作られる。
【００１２】
前記カバーの上面には第１取っ手が設けられ、前記回動部材にはその上端から水平にかつ外方に延長される第２取っ手が設けられるので、貯蔵容器内に保管すべき物品の重量に応じて前記第１又は第２取っ手を用いて前記貯蔵容器を便利に移動することができる。
【００１３】
前記貯蔵容器は、前記回動部材の下端部の両側に設けられた二つの延長部に形成されたヒンジ孔と、前記本体の所定部位に設けられ、前記ヒンジ孔に対応するヒンジ軸が両端に設けられたブラケットとをさらに含むので、前記回動部材が前記本体に回動可能にヒンジ結合されるように、前記ブラケットが前記回動部材の二つの下側延長部間に位置し、前記ヒンジ軸が前記ヒンジ孔に挿入される。
【発明の効果】
【００１４】
前記のような本発明の貯蔵容器によると、カバーが収容空間の可変方式で本体にロックできるようにすることにより、保管すべき物品のサイズ及び数量に応じて収容空間が可変できるので、使用の便利性を高める効果がある。
【発明を実施するための最良の形態】
【００１５】
以下、添付図面に基づいて本発明の好ましい実施例を詳細に説明する。
【００１６】
図１は本体からカバーが分離された状態を示す本発明による貯蔵容器の分解斜視図、図２は本体にカバーがロックされた状態を示す図１の貯蔵容器の結合斜視図である。
【００１７】
図１に示すように、本発明による貯蔵容器は、上部が開放された略箱状の本体１０と、該本体１０の開放上部を覆い、本体１０とともに物品を保管するための収容空間１１が形成されるようにするカバー２０と、該カバー２０を本体１０にロックさせるか或いは本体１０から解除させるための１対のロックユニット３０とを含む。カバー２０の上面には、ロックユニット３０により本体１０にロックされたカバー２０を持ち上げて移動できるようにする第１取っ手２１が設けられるので、収容空間１１内に貯蔵された物品が軽い場合、前記第１取っ手２１を持ち上げて本体１０が移動できるようにする。前記１対のロックユニット３０は本体１０及びカバー２０の両側面にそれぞれ設けられる。
【００１８】
前記１対のロックユニット３０は同一の構造に構成されるので、本実施例においては、本体１０及びカバー２０の一側面に設けられた一つのロックユニット３０についてだけ説明する。
【００１９】
ロックユニット３０は、本体１０の一側面に上下方に回動可能に設けられる回動部材４０と、該回動部材４０に対応してカバー２０の一側面に設けられるロック部材５０とを含む。
【００２０】
前記ロック部材５０はカバー２０の下端から外方にかつ略水平に突出し、前記回動部材４０は本体１０とは別に作られ、本体１０にヒンジで結合される。
【００２１】
回動部材４０の下端の両側には、長手方向に形成された第１ヒンジ孔４１が対向して配置され、前記本体１０の一側面には第２ヒンジ孔４３が長手方向に形成されたブラケット４２が外方に突出している。
【００２２】
したがって、前記第１ヒンジ孔４１間の中間切欠部に前記ブラケット４２が挿着され、第１ヒンジ孔４１及び第２ヒンジ孔４３が一直線上に位置する状態で、前記第１ヒンジ孔４１及び第２ヒンジ孔４３を通じて一つのヒンジ軸４４を差し込むと、回動部材４０は前記ブラケット４２及びヒンジ軸４４に対して上下方に回動可能に結合される。
【００２３】
前記回動部材４０がヒンジ軸４４に対して回動できるように、前記ヒンジ軸４４は前記第１ヒンジ孔４１及び第２ヒンジ孔４３に緩く結合される。また、ヒンジ軸４４は、回動部材４０の第１ヒンジ孔４１及びブラケット４２の第２ヒンジ孔４３に結合されたままで保持される構造を有するようにする。
【００２４】
前記回動部材４０には、前記カバー２０に設けられたロック部材５０が結合されたロックされるようにするため、第１ないし第３ロック孔４５、４６、４７が形成されている。本実施例においては、回動部材に三つのロック孔が形成されているものとして例示したが、これに限られなく、それ以上のロック孔を形成することで、貯蔵容器の収容空間がより広い範囲内で変化できるようにすることもできる。
【００２５】
前記ロック部材５０がロック孔に挿入されて所定の結合力を保持するため、前記回動部材４０は柔軟性材質から作られる。したがって、ロック部材５０がロック孔４５、４６、４７のいずれか一つに差し込まれるとき、当該ロック孔が少し広開しながらロック部材５０を収容することにより、ロック部材５０が回動部材４０に安定にロックされるようにする。このロック状態において、回動部材４０に少しの力を加えて下方に回動させると、ロック部材５０が当該ロック孔から抜き出される。
【００２６】
ロック部材５０をロック孔４５、４６、４７にフック方式でロックさせるため、ロック部材５０の先端には上方にやや突出したロック突部が設けられ、各ロック孔の入口の上端には下方にやや突出したロック突部が設けられる（図３参照）。
【００２７】
また、各回動部材４０の上端には第２取っ手４８が水平外側に一定長さだけ延長されるので、本体１０の収容空間１１に重い物品を貯蔵する場合、両手で第２取っ手４８を持ち上げて移動することができる。
【００２８】
前記のように構成されるロックユニット３０は、回動部材４０が本体１０の一側面にヒンジで結合された状態で、ロック部材５０が第１ないし第３ロック孔４５、４６、４７のいずれか一つに結合されると、図２に示すように、カバー２０が本体１０に結合され、その内部収容空間に物品が保管できる。
【００２９】
以下、図３ないし図５に基づき、本発明による貯蔵容器の収容空間が可変する動作を説明する。
【００３０】
図３は、本体が最少容積を有するように、カバーがロックユニットにより本体にロックされた状態を示す断面図、図４は、本体が中間容積を有するように、カバーがロックユニットにより本体にロックされた状態を示す断面図、図５は、本体が最大容積を有するように、カバーがロックユニットにより本体にロックされた状態を示す断面図である。
【００３１】
図３に示すように、ロックユニット３０の回動部材４０を二点鎖線で示す状態から上方に回動させることで、ロックユニット３０のロック部材５０を第１ないし第３ロック孔４５、４６、４７のなかで最下部の第１ロック孔４５に差し込むと、貯蔵容器の収容空間１１が最少になる状態でカバー２０が本体１０を覆う。したがって、保管すべき物品のサイズが相対的に小さいか又は物品の数量が少ない場合、貯蔵容器の容積を最少にした状態で物品を保管することができる。
【００３２】
このロック状態で、回動部材４０の上端を両側に引きながら下方に下げると、ロック部材５０が第１ロック孔４５から抜き出され、回動部材４０が下方に回動する。したがって、カバー２０が本体１０から分離され、保管物品を取り出すことができる。
【００３３】
一方、保管すべき物品のサイズ又は数量が中間程度である場合には、図４に示すように、回動部材４０を二点鎖線で示す位置から上方に回動させてロック部材５０を第２ロック孔４６に差し込むと、貯蔵容器の収容空間１１が中間程度の容積を有するようにカバー２０が本体１０にロックされるので、相対的に中間程度のサイズ及び数量の物品を保管することができる。
【００３４】
この状態で、より大きいか又は多い物品を保管するためには、貯蔵容器の収容空間１１をさらに増大させなければならない。この場合は、図５に示すように、回動部材４０の最上部に形成された第３ロック孔４７にカバー２０のロック部材５０を差し込むと、本体１０とカバー２０間に形成される収容空間１１が最大容積を有するように可変するので、相対的に大きいか又は多い物品を保管することができる。
【００３５】
図６及び図７は本発明のほかの実施例による貯蔵容器を示す分解斜視図及び結合斜視図である。同図に示すように、本実施例による貯蔵容器は、ブラケット４２の両端から長手方向に突出したヒンジ軸４２ａがブラケット４２と一体的に形成され、回動部材４０の下部両端には、前記ヒンジ軸４２ａに対応するヒンジ孔４９が形成される。
【００３６】
したがって、回動部材４０の下部両端を少し広げたままで、前記ヒンジ軸４２ａをヒンジ孔４９に挿入すると、回動部材４０がブラケット４２に上下方に回動可能に結合される。
【００３７】
本実施例による貯蔵容器は、このような構成を除き、図１ないし図５に示す貯蔵容器と同一構造を有するので、本実施例による貯蔵容器の構成及び動作についてはこれ以上説明しない。
【図面の簡単な説明】
【００３８】
【図１】本体からカバーが分離された状態を示す本発明の一実施例による貯蔵容器の分解斜視図である。
【図２】本体にカバーがロックされた状態を示す図１の実施例による貯蔵容器の結合斜視図である。
【図３】本体が最少容積を有するように、カバーがロックユニットにより本体にロックされた状態を示す図１の実施例の断面図である。
【図４】本体が中間容積を有するように、カバーがロックユニットにより本体にロックされた状態を示す図１の実施例の断面図である。
【図５】本体が最大容積を有するように、カバーがロックユニットにより本体にロックされた状態を示す図１の実施例の断面図である。
【図６】本発明のほかの実施例による貯蔵容器の分解斜視図である。
【図７】図６の実施例による貯蔵容器の結合斜視図である。
【符号の説明】
【００３９】
１０    本体
２０    カバー
３０    ロックユニット
４０    回動部材
４１、４３、４９    ヒンジ孔
４２ａ、４４    ヒンジ軸
４５、４６、４７    ロック孔
５０    ロック部材
【図１】
2004203486.tif 000003
【図２】
2004203486.tif 000004
【図３】
2004203486.tif 000005
【図４】
2004203486.tif 000006
【図５】
2004203486.tif 000007
【図６】
2004203486.tif 000008
【図７】
2004203486.tif 000009